(57)【要約】【課題】  遊技機枠の前側からスクリーンに映し出された画像の位置や明るさあるいは色合いなどの画質調整の容易化を図る。【解決手段】  遊技店において、遊技機枠７１のパネル枠８１と球皿構造体８２とが開かれた状態において、人が、手の指で画質調整作業開口１０９から調整操作盤１４７ａのスイッチ操作部１４７ｂを操作してスクリーン５に映し出された画像を見ながら、投影機制御回路がスイッチ操作部１４７ｂの操作に伴いスクリーン５に映し出された画像の位置や明るさあるいは色合いなどの画質を電気的に調整する。【選択図】        図１
2005144029.tif 000002
【特許請求の範囲】
【請求項１】
遊技機枠の裏部に投影機と反射鏡とスクリーンとを配置し、投影機の投影光源から光を投影機の画像の表示されている液晶表示器に照射し、その投影光を投影機の投影レンズで拡大し、その拡大された投影光を反射鏡で前側に反射してスクリーンに上記液晶表示器で表示された画像を拡大して映写する遊技機の映写装置において、遊技機枠の前部には、遊技機枠の前側から遊技機枠の裏部における投影機の画質を電気的に調整するスイッチ操作部を操作し得る画質調整作業開口が設けられたことを特徴とする遊技機の映写装置。
【請求項２】
投影機と反射鏡とスクリーンとが遊技機枠に取り付けられる装置筐体に組み付けられたことを特徴とする請求項１記載の遊技機の映写装置。
【請求項３】
遊技機枠の前部には、画質調整作業開口を開閉可能に塞ぐ閉鎖体が設けられたことを特徴とする請求項１記載の遊技機の映写装置。
【発明の詳細な説明】
【技術分野】
【０００１】
本発明は、遊技機枠の前側からスクリーンに映し出された画像の位置や明るさあるいは色合いなどの画質調整の容易な遊技機の映写装置に関する。
【背景技術】
【０００２】
パチンコ機やスロットマシンなどの遊技機の映写装置は、遊技機枠の下部に液晶表示器を使用したプロジェクターと呼ばれる投影機を配置し、遊技機枠の上部に設けられた遊技盤の裏側に、反射鏡と、フレネルレンズからなる平板状の視野レンズと呼ばれるスクリーンとを配置し、投影機の投影光源から光を画像の表示されている液晶表示器に照射し、その投影光を投影機の投影レンズで拡大し、その拡大された投影光を反射鏡で前側に反射してスクリーンに上記液晶表示器で表示された画像を拡大して映写する構造である。しかしながら、投影機、反射鏡、スクリーンなど、映写装置を構成する複数の構成部品が、遊技機枠に個別に取り付けられた場合、複数の構成部品相互の位置関係が微妙に狂い、スクリーンに映し出された画像がぼけて品質信頼性に欠けるうえ、映写装置の遊技機枠への組立作業に多大な労力と時間とを要するという欠点がある。そこで、合成樹脂からなる装置筐体に投影機と反射鏡およびスクリーンなどを組み付けることで映写装置を単一集合構造体として形成することが考えられるが、係る単一集合構造体として形成された映写装置を遊技機枠に取り付けた形態において、遊技機枠の前側からスクリーンに映し出された画像の位置や明るさあるいは色合いなどの画質調整が面倒となり、にわかに採用しがたい。
【特許文献１】特開２００３−２２０１９４号公報
【特許文献２】特開平６−３５０６６号公報
【発明の開示】
【発明が解決しようとする課題】
【０００３】
発明が解決しようとする問題点は、遊技機枠の前側からスクリーンに映し出された画像の位置や明るさあるいは色合いなどの画質調整が面倒であるという点である。
【課題を解決するための手段】
【０００４】
本発明に係る遊技機の映写装置は、遊技機枠の裏部に投影機と反射鏡とスクリーンとを配置し、投影機の投影光源から光を投影機の画像の表示されている液晶表示器に照射し、その投影光を投影機の投影レンズで拡大し、その拡大された投影光を反射鏡で前側に反射してスクリーンに上記液晶表示器で表示された画像を拡大して映写する遊技機の映写装置において、遊技機枠の前部には、遊技機枠の前側から遊技機枠の裏部における投影機の画質を電気的に調整するスイッチ操作部を操作し得る画質調整作業開口が設けられたことを最も主要な特徴とする。投影機と反射鏡とスクリーンとが遊技機枠に取り付けられる装置筐体に組み付けられたり、遊技機枠の前部には画質調整作業開口を開閉可能に塞ぐ閉鎖体が設けられたりすることも特徴とする。
【発明の効果】
【０００５】
本発明に係る遊技機の映写装置は、遊技機枠の前部に画質調整作業開口を設けたので、遊技機の前側から人が画質調整作業開口を経由してスイッチ操作部を操作し、スクリーンに映し出された画像を見ながら当該画像の位置や明るさあるいは色合いなどの画質を電気的に調整することができるという利点がある。投影機と反射鏡とスクリーンとが遊技機枠に取り付けられる装置筐体に組み付けられれば、映写装置が装置筐体に投影機と反射鏡とスクリーンとを組み付けた単一構造体となり、映写装置の遊技機枠への取付が簡単となるという利点がある。遊技機枠の前部に閉鎖体が設けられれば、画質調整をしない場合、閉鎖体で画質調整作業開口を塞ぐことによって、画質調整作業開口の存在を遊技者から一層容易に認識できないようにすることができる利点がある。
【発明を実施するための最良の形態】
【０００６】
図１−図３は、第１実施形態である。図１は、映写装置１の取り付けられた遊技機枠７１と遊技盤１１０との外観を示す。図２は、映写装置１の前側からの外観を示す。図３は、遊技機枠７１の外観を示す。
【０００７】
図２を参照し、遊技機をパチンコ機とした映写装置１の前側の構造について説明する。映写装置１は、遮光性合成樹脂からなる前側に開放した箱形の装置筐体２に、投影機３、反射鏡４、スクリーン５を組み付けた、ユニットと呼ばれる単一集合構造体として形成される。装置筐体２の周縁には、装置取付部６が設けられる。装置取付部６は、映写装置１を、図３に示す遊技機枠７１の可動枠７５の裏面に、取り付けるための部分である。投影機３は、投影機筐体の下部にＬＥＤのような投影光源７を内蔵し、投影機筐体の上下方向中間部に液晶表示器８を内蔵し、投影機筐体の上部に投影レンズ９を焦点調整可能に備え、投影機筐体の外側に、モータで駆動されるシロコタイプのブロワーファンのような空冷機１０と、液晶表示器８の投影機制御回路１４７とを備える。空冷機１０は、投影機筐体の内部を空気で冷却する機器である。投影機制御回路１４７は、投影機制御回路１４７の前側、つまり、映写装置１が遊技機枠７１に取り付けられた場合の前側に、スクリーン５に映し出された画像の位置や明るさあるいは色合いなどの画質を電気的に調整するための調整操作盤１４７ａを備える。調整操作盤１４７ａには、画質を電気的に調整するために人が操作し得るスイッチ操作部１４７ｂが設けられる。
【０００８】
そして、装置筐体２の前側から上内部に収納された反射鏡４が、装置筐体２における上方から下方に行くに従って徐々に前側から裏側に傾斜する前傾姿勢の裏壁に取り付けられる。これによって、反射鏡４が装置筐体２の上内部に前傾姿勢で取り付けられる。また、投影機３の投影レンズ９が上方で、投影機３の投影光源７が下方となるように、投影機３が装置筐体２の前側から下内部に収納されて装置筐体２に取り付けられる。投影機３が装置筐体２に取り付けられた後、遮光性合成樹脂よりなる前被覆体１１が、投影機３の前側を被覆する格好で、装置筐体２の下前部にタッピングスクリューのような止ねじ１２で取り付けられる。この場合、投影機３の調整操作盤１４７ａは、前被覆体１１の調整操作盤取込開口１８に前被覆体１１の裏側から前側に取り込まれる。この取り込まれた形態は、調整操作盤１４７ａの外周面が調整操作盤取込開口１８の内周面に接触し、調整操作盤１４７ａと調整操作盤取込開口１８との間に隙間がない形態であって、例えば、調整操作盤１４７ａの外周面と調整操作盤取込開口１８の内周面との間にゴムや軟質合成樹脂のような弾性の有る詰物を入れてもよい。その後、スクリーン５が反射鏡４の取り付けられた部分における装置筐体２の前側開口を覆うように、装置筐体２の周壁１３の前面に、前側から重ね合わされて接触して搭載される。そして、左右のスクリーン支持体１４が装置筐体２にタッピングスクリューのような止ねじ１５で取り付けられることによって、スクリーン５が左右のスクリーン支持体１４で装置筐体２の前面に取り付けられる。
【０００９】
このように、投影機３、反射鏡４、スクリーン５が、装置筐体２に取り付けられた形態において、投影レンズ９の焦点調整が行われる。それには、投影機３の液晶表示器８に直流電源を供給してテスト画像を表示し、投影機３の投影光源７に交流電源を供給する。これによって、投影機３の投影光源７が光を画像の表示されている液晶表示器８に照射し、その投影光が投影機３の投影レンズ９で拡大され、その拡大された投影光が反射鏡４で前側に反射してスクリーン５に上記液晶表示器８で表示されたテスト画像を拡大して映写する。その状態において、例えば、作業者が、手を、前被覆体１１の前側から前被覆体１１の焦点調整作業開口１６を経由して装置筐体２の内部に入れて、投影機３の投影レンズ９を回転操作し、上記スクリーン５に映し出されたテスト画像が焦点の合わされた態様となるように、作業者が焦点調整を行う。その後、遮光性合成樹脂からなる蓋体１７が焦点調整作業開口１６を閉鎖するように前被覆体１１に取り付けられる。これによって、箱形の装置筐体２に投影機３と反射鏡４とスクリーン５とを組み付けた単一集合構造体に形成された映写装置１が、図２に示す格好に構成される。この図２の形態において、人が、手の指で調整操作盤１４７ａのスイッチ操作部１４７ｂを操作すると、投影機制御回路１４７がスイッチ操作部１４７ｂの操作に伴いスクリーン５に映し出された画像の位置や明るさあるいは色合いなどの画質を電気的に調整する。したがって、映写装置１が図３に示す遊技機枠７１に取り付けられていない状態において、人が映写装置１の前側からスクリーン５に映し出された画像を見ながら当該画像の画質調整を行うことができるという利点がある。装置筐体２の裏面には、図１に示す電源装置１４５、投影機駆動回路１４６、主制御装置１４８、図外の複合制御装置、図柄制御装置１５０が取り付けられる。
【００１０】
図１および図３を参照し、パチンコ機における映写装置１の取り付けられる遊技機枠７１と遊技盤１１０との構造について説明する。遊技機枠７１は、パチンコ店の図外の遊技設置構造体に取り付けるための外枠と呼ばれるような金属製の固定枠７２を備える。固定枠７２は前後方向に開放された縦長な長方形の空間を囲む額縁形状である。固定枠７２の下部前面に設けられた幕板部７３には、低音用のスピーカーの低音を幕板部７３の裏側から前側に放出する放音孔部７４が左右に設けられる。放音孔部７４の裏面にはスピーカーが個別に取り付けられる。固定枠７２には、前枠または中枠と呼ばれるような可動枠７５が左側の金属製のヒンジ７６で前側横方向に片開き可能にかつ着脱可能（交換可能）に取り付けられる。可動枠７５は、前後方向に開放された縦長な長方形の空間を囲む額縁形状の合成樹脂からなる可動枠本体７７と、可動枠本体７７から内部に延設された合成樹脂からなる遊技主体収納構造体７８とを備える。可動枠７５が閉じられた場合、図外のロック機構によって、開閉不能に固定枠７２に支持される。可動枠本体７７には、パネル枠８１および球皿構造体８２が左側に設けられる図外のヒンジで前側横方向に片開き可能に取り付けられる。パネル枠８１は前後方向に開放された窓８３を囲む額縁形状である。パネル枠８１の裏面には、ガラスまたは合成樹脂からなる光透過性を有する前面パネル８４が窓８３を覆う格好で取り付けられる。パネル枠８１の裏面上部には、中・高音用の図外のスピーカーが左右に取り付けられる。このスピーカーの設けられるパネル枠８１の部分には、スピーカーの中・高音をパネル枠８１の裏側から前側に放出する図外の放音孔部が設けられる。
【００１１】
パネル枠８１が閉じられた場合、図外のロック機構によって、開閉不能に、可動枠本体７７に支持される。球皿構造体８２が閉じられた場合、ロック機構によって、開閉不能に、可動枠本体７７に支持される。可動枠本体７７の右縦片には施錠装置８６が設けられる。可動枠７５やパネル枠８１および球皿構造体８２が閉じられてロック機構で開閉不能に支持された状態において、遊技店の店員が図外のキープレート（鍵）を遊技機枠７１の前側から施錠装置８６の鍵穴８７に挿入し、当該キープレートを例えば右側に９０度回転操作すると、固定枠７２と可動枠７５とのロック機構による支持形態が解除される。この支持形態の解除後に、店員が可動枠７５を前側に引くことによって、可動枠７５はヒンジ７６を回転中心として前側に片開きされる。また、上記施錠装置８６の鍵穴８７に挿入されたキープレートが例えば左側に９０度回転操作されると、可動枠７５とパネル枠８１とのロック機構による支持形態が解除される。この支持形態の解除後に、店員がパネル枠８１を前側に引くことによって、パネル枠８１は図外のヒンジを回転中心として前側に片開きされる。このように、パネル枠８１が前側に開かれた状態において、店員が可動枠７５の前面に設けられたロック解除操作体８９を操作すると、可動枠７５と球皿構造体８２とのロック機構による支持形態が解除される。この支持形態の解除後に、店員が球皿構造体８２を前側に引くことによって、球皿構造体８２は図外のヒンジを回転中心として前側に片開きされる。球皿構造体８２の前面には、球収納部９０と発射操作機構９１とを備える。球収納部９０は、遊技に使用する球を受ける上方に開放された形態である。球皿構造体８２の裏面には、球を球収納部９０に供給する球取入口９２と、球収納部９０から発射機構１０３に球を供給する球供給口９３とを備える。
【００１２】
遊技主体収納構造体７８は、前側に開放された遊技主体収納室９５と、遊技主体収納室９５の立壁で前後方向に貫通する中央開口部９６とを備える。遊技主体収納室９５の左側部には、遊技盤１１０を裏側から前側に押圧する板ばねにより構成された遊技主体押圧部９７と、遊技主体押圧部９７で前側に押された遊技盤１１０を前側から受け止める遊技主体受部９８とを備える。遊技主体収納室９５の右側部には、遊技主体ロック部材９９を備える。遊技主体ロック部材９９は、遊技主体収納構造体７８から前側に突出する円筒状の台座の中心にロック操作部１００を回転可能に備える。ロック操作部１００は、台座から前側に突出した操作軸の端部に固定された横長な形態である。遊技主体収納構造体７８における遊技主体収納室９５よりも下部における前面には、遊技主体棚１０１を備える。遊技主体棚１０１の前面には、発射機構１０３、発射レール１０４、ファール球取入口部１０５、前横樋１０６、画質調整作業開口１０９を備える。発射レール１０４は、球皿構造体８２の球供給口９３から供給された１個の球を受け取る。発射機構１０３は、電力供給と遮断とを交互に受けることによって、球収納部９０から発射レール１０４に供給された１個の球を図１に示す遊技盤１１０の遊技領域１１２に向けて発射する。発射レール１０４は、発射機構１０３から発射された球を、遊技盤１１０における発射通路１１５の入口に誘導する。ファール球取入口部１０５は、遊技盤１１０の発射通路１１５から落下する球を取り込む。ファール球取入口部１０５に取り込まれた球は、前横樋１０６を経由して球取入口９２に排出される。前横樋１０６は、可動枠７５の裏部に取り付けられた払出機構１０７から払い出された球を球取入口９２に排出する。可動枠７５の裏部には、タンク１０８を備える。タンク１０８は、遊技設置構造体の補給系統から供給された球を貯蔵し、貯蔵した球を払出機構１０７の球払出動作に伴い払出機構１０７に供給する部品である。画質調整作業開口１０９は、可動枠７５の裏面に映写装置１が取り付けられた場合、映写装置１の調整操作盤取込開口１８における調整操作盤１４７ａと、調整操作盤１４７ａの前側で対向する。
【００１３】
図１において、遊技機枠７１に交換可能に取り付けられる遊技主体としての遊技盤１１０は、非遊技領域を形成する遮光性合成樹脂からなる周辺飾り構造体１１１と、周辺飾り構造体１１１で囲まれた内側の遊技領域１１２を形成する光透過性合成樹脂からなる板状構造体１１３とを備える。周辺飾り構造体１１１は、遊技主体収納室９５に格納される方形板状の中央に、前後方向に貫通する丸形開口部１１４と、丸形開口部１１４の左側部に前側開放縦溝形状の発射通路１１５とを備える。発射通路１１５の左側面と当該左側面から右側に弧状に延長する丸形開口部１１４の上部弧状側面とには、ステンレスのような金属帯板状の外バンド１１６が一連に付設される。発射通路１１５の右側面および当該右側面から右側に弧状に延長する丸形開口部１１４の下部弧状側面は、発射通路１１５の縦形の底部と丸形開口部１１４より前方に突出する内バンド１１７を形成する。内バンド１１７における下部弧状側面の最下部には、アウト口１１８を囲むとともに球を遊技盤１１０の前側から裏側に排出するハートと呼ばれるアウト口部１１９が、内バンド１１７から内側に突出した格好に連接される。内バンド１１７およびアウト口部１１９は、周辺飾り構造体１１１と一緒に合成樹脂により形成される。よって、発射通路１１５以外における外バンド１１６と内バンド１１７とが遊技領域１１２を囲む丸形開口部１１４である。アウト口部１１９は、遊技領域１１２の最下部に配置される。発射通路１１５は、発射機構１０３から発射された球を遊技領域１１２に案内する通路である。
【００１４】
発射機構１０３から発射された球を発射通路１１５から遊技領域１１２に放出する発射通路１１５の出口には、戻り球防止弁１２０が設けられる。戻り球防止弁１２０の取付部は、内バンド１１７の端部に沿うように、周辺飾り構造体１１１に取り付けられる。戻り球防止弁１２０は、外バンド１１６や内バンド１１７よりも厚さの薄い薄帯板状のステンレスまたは合成樹脂により形成される板ばねである。戻り球防止弁１２０が周辺飾り構造体１１１に取り付けられた場合、戻り球防止弁１２０は、取付部の存在する基部から外バンド１１６の側に位置する先端部に行くに従って、発射通路１１５の出口から遊技領域１１２の側に徐々に傾斜する格好になる。戻り球防止弁１２０の先端は、外バンド１１６の遊技領域１１２の側に位置する内側面に接触するかまたは接触する程度に近づいていればよい。この接触する程度は、戻り球防止弁１２０の先端と外バンド１１６の内側面との間に１個の球の直径よりも小さい隙間が存在し、遊技領域１１２から外バンド１１６の内側面に沿って発射通路１１５の側に逆行する球が上記戻り球防止弁１２０の先端と外バンド１１６の内側面との間に引っかかることなく通過することもできない範囲であればよい。
【００１５】
そして、発射機構１０３から発射された球が発射通路１１５から戻り球防止弁１２０を押し開けることによって、戻り球防止弁１２０の先端部が外バンド１１６から離れるように、戻り球防止弁１２０の取付部を基準として、戻り球防止弁１２０が全体的に遊技領域１１２の側に弾性変形する。そして、戻り球防止弁１２０を押し開けた球が戻り球防止弁１２０から遊技領域１１２の側に離れることによって、戻り球防止弁１２０の先端部が外バンド１１６に近づくように、戻り球防止弁１２０が全体的に図１に示す形態に復元する。このように戻り球防止弁１２０が復元した形態において、発射通路１１５から遊技領域１１２に発射された球が遊技領域１１２から発射通路１１５の側に逆行してきた場合、当該球が戻り球防止弁１２０に衝突し、戻り球防止弁１２０が当該球を遊技領域１１２から発射通路１１５に取り込まれることを防止して遊技領域１１２に跳ね返す。
【００１６】
周辺飾り構造体１１１の下縁部には不正防止バンド１２２が直線的に取り付けられる。不正防止バンド１２２は、弾性の有る合成樹脂で形成されたものであって、パネル枠８１が閉じられることによって、不正防止バンド１２２が前面パネル８４の内側面（遊技盤１１０の側に位置する面）に接触し、遊技者がピアノ線や合成樹脂製薄帯板などの不正操作部材を遊技領域１１２よりも下方の遊技機枠７１の前側から遊技機枠７１の前面構成部材間の隙間を経由して遊技領域１１２に挿入しようとした場合、パネルの内側面に接触した不正防止バンド１２２が不正操作部材を受け止めて不正操作部材の遊技領域１１２への侵入を防止する。
【００１７】
周辺飾り構造体１１１の右側の上下部には、遊技盤１１０を遊技機枠７１に固定するための取付部１２３が設けられる。取付部１２３は、遊技主体収納室９５に設けられた遊技主体ロック部材９９と係合するロック挿入孔１２４を備える。周辺飾り構造体１１１の右側の下部には、証紙台１２６が、前後方向に開閉可能に設けられる。証紙台１２６が図１に示すように、周辺飾り構造体１１１との連結部である図外のヒンジを回転中心として前方に開かれることによって、下部の取付部１２３が右周辺飾り構造体１１１の前側から見える格好となる。そして、証紙台１２６が上記ヒンジを回転中心として後方に閉じられ、証紙台１２６が証紙台受部１２７で受け止められることによって、取付部１２３が証紙台１２６で覆われて周辺飾り構造体１１１の前側から見えなくなる。閉じられた証紙台１２６の前面には、遊技盤１１０が図外の組合の検査に合格して販売の認可を受けたことを示すための図外の証紙が、貼り付けられる。
【００１８】
遊技領域１１２を形成する光透過性合成樹脂からなる板状構造体１１３には、センター飾り１３１、一般入賞部品１３２、作動入賞部品１３３、始動入賞部品１３４、可変入賞部品１３５、遊技釘１３６などの遊技部品が、周辺飾り構造体１１１の発射通路１１５を除く丸形開口部１１４で囲まれた光透過性を有する遊技領域１１２に取り付けられる。そして、遊技盤１１０が遊技機枠７１の内部に装着され、パネル枠８１および球皿構造体８２が閉じられ、球が球収納部９０に入れられた状態において、遊技者が発射操作機構９１を操作すると、発射機構１０３が球収納部９０から供給された球を１個ずつ発射操作機構９１の操作量に応じた発射力で遊技盤１１０の遊技領域１１２に発射する。遊技領域１１２に発射された球は、センター飾り１３１や遊技釘１３６で流れを変えられるとともに、一般入賞部品１３２と作動入賞部品１３３および始動入賞部品１３４の何れかに入賞する。また、始動入賞部品１３４への入賞の結果として可変入賞部品１３５の開閉体１３８が開閉し、この開閉体１３８の開放中において、遊技領域１１２から球が可変入賞部品１３５に入賞する。これらの入賞の結果として、払出機構１０７が遊技機枠７１の裏側から遊技機枠７１の前側の球収納部９０に賞球としての球を払い出す。
【００１９】
図１を参照し、映写装置１と遊技機枠７１とが互いに組み立てられた構造について説明する。映写装置１におけるスクリーン支持体１４とスクリーン５と前被覆体１１とが可動枠７５の裏側から図３に示す中央開口部９６に収納され、スクリーン支持体１４の前面が遊技主体収納室９５の裏壁の前面と同一面内に位置される。そして、映写装置１の図２に示す装置取付部６が可動枠７５の裏側から可動枠７５の遊技主体収納構造体７８の裏面に取り付けられることによって、映写装置１が可動枠７５に取り付けられる。このように映写装置１が可動枠７５に取り付けられた場合、映写装置１の調整操作盤取込開口１８における調整操作盤１４７ａが、遊技機枠７１の画質調整作業開口１０９の後側で画質調整作業開口１０９と対向する。また、遊技盤１１０の遊技領域１１２が前側に向けられ、遊技盤１１０が遊技機枠７１の前側から遊技主体収納室９５に挿入され、遊技盤１１０の下部が遊技主体棚１０１の上に載せられ、遊技盤１１０の左側部が遊技主体受部９８と遊技主体押圧部９７とで前後方向から挟まれた後、遊技盤１１０の右側部が後側に押され、遊技主体ロック部材９９のロック操作部１００が取付部１２３のロック挿入孔１２４に後側から挿入されて前側に突出した状態において、作業者がロック操作部１００を例えば右方向に９０度回転操作すると、ロック操作部１００がロック挿入孔１２４の周りにおける取付部１２３と係合し、遊技盤１１０が可動枠７５に取り付けられる。遊技盤１１０が取り付けられた後、可動枠７５が閉じられるとともに、球皿構造体８２が閉じられる。
【００２０】
前記のように可動枠７５の裏部に映写装置１が取り付けられ、可動枠７５の前部に遊技盤１１０が取り付けられた構造について説明する。映写装置１のスクリーン５の前側に遊技盤１１０の光透過性合成樹脂からなる板状構造体１１３が非接触に配置される。そして、遊技盤１１０の板状構造体１１３から前側に突出したセンター飾り１３１と一般入賞部品１３２と作動入賞部品１３３と始動入賞部品１３４と可変入賞部品１３５および遊技釘１３６などの遊技部品がスクリーン５の前側に配置され、遊技盤１１０の丸形開口部１１４がスクリーン５の前側に対向して配置される。
【００２１】
そして、投影機３の液晶表示器８が電気的に画像を表示し、投影機３の投影光源７が電気的に光を画像の表示されている液晶表示器８に照射し、その投影光が投影機３の投影レンズ９で拡大され、その拡大された投影光が反射鏡４で前側に反射してスクリーン５の全域に上記液晶表示器８で表示された画像を拡大して映写し、遊技機枠７１の前側から遊技者がスクリーン５に映し出された画像を閉じられたパネル枠８１の前面パネル８４と遊技盤１１０の丸形開口部１１４および光透過性合成樹脂からなる板状構造体１１３を通して見ることをできる。これによって、遊技者は、スクリーン５に映し出された画像を遊技領域１１２の全域に見ながら遊技領域１１２に行き交う球の動きとを見ることができる。
【００２２】
第１実施形態の構造によれば、人がキープレートを施錠装置８６に入れて可動枠７５に対するパネル枠８１のロック機構による支持形態を解除してパネル枠８１を前側に開いた後、人がロック解除操作体８９を操作して可動枠７５に対する球皿構造体８２のロック機構による支持形態を解除して球皿構造体８２に開くことによって、画質調整作業開口１０９が遊技機枠７１の前側に露出され、調整操作盤１４７ａが遊技機枠７１の前側から画質調整作業開口１０９を経由して操作可能な形態となる。この状態において、人が、手の指で画質調整作業開口１０９から調整操作盤１４７ａのスイッチ操作部１４７ｂを操作すると、投影機制御回路１４７がスイッチ操作部１４７ｂの操作に伴いスクリーン５に映し出された画像の位置や明るさあるいは色合いなどの画質を電気的に調整する。したがって、パチンコ機が遊技店に設置された状態において、店員が可動枠７５および球皿構造体８２の開放された遊技機枠７１の前側からスクリーン５に映し出された画像を見ながら当該画像の画質を適切に微調整することができるという利点がある。投影機３と反射鏡４とスクリーン５とが遊技機枠７１に取り付けられる装置筐体２に組み付けられているので、映写装置１が装置筐体２に投影機３と反射鏡４とスクリーン５とを組み付けた単一構造体となり、映写装置１の遊技機枠７１への取付が簡単となるという利点がある。
【００２３】
図４は、第２実施形態に係る遊技機枠７１における画質調整作業開口１０９の周りを示す。図４では、画質調整作業開口１０９を塞ぐ板状の閉鎖体１２１が、遊技主体収納構造体７８における図１の遊技主体収納室９５よりも下部における前面に設けられる。具体的には、画質調整作業開口１０９の周縁部には、閉鎖受部１２５が、遊技主体収納構造体７８の前面から裏側に窪む形態でかつ画質調整作業開口１０９の周縁部より内側に突出する形態に形成される。この閉鎖受部１２５の裏側に窪む深さは、閉鎖体１２１の厚さと同じである。閉鎖受部１２５には、閉鎖体取付部１２８が、前後方向に貫通する孔として形成される。閉鎖体１２１の外形は、画質調整作業開口１０９の外形と同じ大きさでかつ同形状である。閉鎖体１２１の周縁部には、係合部１２９と取付孔１３０が形成される。係合部１２９は、閉鎖体１２１の裏面から外側に突出する。取付孔１３０は、係合部１２９と対向する反対側に位置する。
【００２４】
そして、係合部１２９が画質調整作業開口１０９の前側から閉鎖受部１２５に掛け止められた後、閉鎖体１２１が閉鎖受部１２５に収納された状態において、タッピングスクリューのような止ねじ１４１が取付孔１３０から閉鎖体取付部１２８に締結されることによって、閉鎖体１２１が画質調整作業開口１０９を閉鎖して遊技主体収納構造体７８における遊技主体収納室９５よりも下部における前面に取り付けられる。このように画質調整作業開口１０９が閉鎖体１２１で開閉可能に塞がれることによって、画質調整作業開口１０９の存在を遊技者から容易に認識できないようにすることができる利点がある。この場合、閉鎖体１２１の設置される遊技主体収納構造体７８の前面と閉鎖体１２１の前面とが同じ色合いや面形状に形成されれば、画質調整作業開口１０９の存在を遊技者から一層容易に認識できないようにすることができる利点がある。また、係合部１２９を削除し、複数の取付孔１３０と複数の閉鎖体取付部１２８と複数の止ねじ１４１とで閉鎖体１２１を着脱可能にしてもよい。また、係合部１２９を削除し、閉鎖体１２１を遊技主体収納構造体７８の前面に開閉可能にヒンジで取り付けてもよい。
【産業上の利用可能性】
【００２５】
遊技機としてスロットマシンの映写装置１としても同様に適用することができる。この場合、光透過性合成樹脂からなる板状構造体１１３に類似する板状構造体を全体的にまたは当該板状構造体の前面を遊技機枠７１に相当するスロットマシンの遊技機枠の前側に突出する弧状に形成するか、または、反射鏡４を前側に突出する弧状に形成するか、または、スクリーン５を前側に突出する弧状に形成するか、または、前面パネル８４を前側に突出する弧状に形成すれば、ドラムタイプのような画像を表現することができる。スロットマシンに用いる板状構造体は、板状構造体１１３に遊技部品を設けない点で板状構造体１１３と相違する。
【図面の簡単な説明】
【００２６】
【図１】映写装置と遊技機枠と遊技盤とを示す斜視図（第１実施形態）。
【図２】映写装置を前側から示す斜視図（第１実施形態）。
【図３】遊技機枠を示す斜視図（第１実施形態）。
【図４】遊技機枠の画質調整作業開口の周りを示す斜視図（第２実施形態）。
【符号の説明】
【００２７】
１  映写装置
２  装置筐体
３  投影機
４  反射鏡
５  スクリーン
７  投影光源
８  液晶表示器
９  投影レンズ
７１  遊技機枠
１０９  画質調整作業開口
１２１  閉鎖体
１４７ｂ  スイッチ操作部
【図１】
2005144029.tif 000003
【図２】
2005144029.tif 000004
【図３】
2005144029.tif 000005
【図４】
2005144029.tif 000006